(57)【要約】      （修正有）【課題】マーキング機器のサイクル間にリソグラフィー画像を変える可変デジタルデータオフセットリソグラフィー構造を用い、画像受け入れ媒体基材の上に磁気インク文字認識（ＭＩＣＲ）の文字を製造するためのシステム及び方法の提供。【解決手段】インク組成物中の溶液に少なくとも２０重量％の比率で懸濁した、固体粒子である着磁性顔料成分を含むＭＩＣＲインク。インク組成物中の溶液に懸濁した粒径が１ミクロンより大きな固体粒子である着磁性顔料成分を含むＭＩＣＲインク。ＭＩＣＲ文字が、単一の機器で他のインクを用いて塗布されたバックグラウンド画像の上に画像受け入れ媒体基材の上に作られるか、及び／又はこの機器によって画像受け入れ媒体基材を１回通過して作られるＭＩＣＲの文字を製造するためのシステム。【選択図】なし【特許請求の範囲】
【請求項１】
磁気インク文字認識で使用するためのインク組成物であって、
前記インク組成物中の溶液に少なくとも２０重量％の比率で懸濁した、固体粒子である着磁性顔料成分を含み、
前記溶液が、
少なくとも１つの硬化性モノマーと、
少なくとも１つの分散剤と、
熱安定化剤と、
光開始剤システムと、
のうち、２つ以上を含む、インク組成物。
【請求項２】
前記固体粒子である着磁性顔料成分が、前記インク組成物中の前記溶液に少なくとも４０重量％の比率で懸濁している、請求項１に記載のインク組成物。
【請求項３】
前記固体粒子である着磁性顔料成分が、平均粒径が１ミクロンより大きい、請求項１に記載のインク組成物。
【請求項４】
前記固体粒子である着磁性顔料成分が、平均粒径が５ミクロンより大きい、請求項１に記載のインク組成物。
【請求項５】
前記固体粒子である着磁性顔料成分が、酸化鉄である、請求項１に記載のインク組成物。
【請求項６】
基材の上に磁気インク文字認識の文字を製造するためのシステムであって、
少なくとも１つの可変データリソグラフィー機器を備え、前記少なくとも１つの可変データリソグラフィー機器が、
リソグラフィー画像を、画像受け入れ媒体基材に転写するためのデジタルデータの再画像化を助ける再画像作成可能な表面を有する画像化部材と、
前記再画像作成可能な表面の上に濡らし溶液の層を堆積させる、濡らし溶液の供給源と、
前記濡らし溶液の層を選択的に蒸発させることによって、前記濡らし溶液の層の中に、受信したデジタルデータにしたがって潜像をパターン形成する、光学パターン形成サブシステムと、
前記画像受け入れ媒体基材に、磁気インク文字認識の文字を転写するために、前記再画像作成可能な表面に前記磁気インク文字認識を適用し、パターン形成した潜像からインクの付いた画像を製造する、磁気インク文字認識インク供給源と、
を含み、
さらに、前記画像受け入れ媒体基材の上に別個の画像を作成するための少なくとも１種類の色インクを与える、少なくとも１つのバックグラウンド画像作成インク供給源と、
前記画像受け入れ媒体基材の上で画像要素を硬化させる、硬化機器と、を備え、
前記画像受け入れ媒体基材が、（１）少なくとも１つのバックグラウンド画像インク供給源からのインクを用い、バックグラウンド画像を用いてマーキングされ、（２）前記バックグラウンド画像を用いてマーキングした後、前記少なくとも１つの可変データリソグラフィー機器からの前記磁気インク文字認識の文字を用いてマーキングされ、（３）前記硬化機器によって、前記画像受け入れ媒体基材の上で前記バックグラウンド画像および前記磁気インク文字認識を硬化させ、磁気インク文字認識書類を製造する、システム。
【請求項７】
前記磁気インク文字認識インクが、
前記インク組成物中の溶液に少なくとも２０重量％の比率で懸濁した、固体粒子である着磁性顔料成分を含み、
前記溶液が、
少なくとも１つの硬化性モノマーと、
少なくとも１つの分散剤と、
熱安定化剤と、
光開始剤システムと、
のうち、２つ以上を含む、請求項６に記載のシステム。
【請求項８】
前記少なくとも１つのバックグラウンド画像作成インク供給源が、前記少なくとも１つの可変データリソグラフィー機器中にモジュールとして含まれ、前記磁気インク文字認識の文字が、前記画像受け入れ媒体基材の上で作成される前記少なくとも１つの可変データリソグラフィー機器の別個のサイクルの前に、前記少なくとも１つの可変データリソグラフィー機器が、前記画像受け入れ媒体基材に前記バックグラウンド画像を転写する少なくとも１つの画像化サイクルで、前記再画像作成可能な表面に少なくとも１つの色インクを塗布し、前記パターン形成された潜像からバックグラウンドのインクが付いた画像を製造する、請求項６に記載のシステム。
【請求項９】
前記画像受け入れ媒体基材の上に前記磁気インク文字認識の文字を作成する前に、前記画像受け入れ媒体基材の上で前記バックグラウンド画像を少なくとも部分的に硬化させる中間硬化機器をさらに備える、請求項８に記載のシステム。
【請求項１０】
前記少なくとも１つのバックグラウンド画像作成インク供給源が、別個のマーキングモジュールの要素であり、前記少なくとも１つの可変データリソグラフィー機器が、前記画像受け入れ媒体基材の上に前記磁気インク文字認識の文字を作成する前に、前記別個のマーキングモジュールが、前記再画像作成可能な表面に前記少なくとも１つの色インクを塗布し、前記画像受け入れ媒体基材の上にバックグラウンドのインクの付いた画像を製造する、請求項６に記載のシステム。
【発明の詳細な説明】
【技術分野】
【０００１】
本出願は、２０１３年５月３１日に出願された米国特許出願［代理人整理番号０５６−０５５７］、名称「Ｓｙｓｔｅｍｓ  ａｎｄ  Ｍｅｔｈｏｄｓ  Ｆｏｒ  Ｄｅｌｉｖｅｒｉｎｇ  Ａｑｕｅｏｕｓ  Ｐｅａｒｌｅｓｃｅｎｔ  Ｄｉｇｉｔａｌ  Ｐｒｉｎｔｉｎｇ  Ｉｎｋ  Ｃｏｍｐｏｓｉｔｉｏｎｓ  Ｕｓｉｎｇ  Ｄｉｇｉｔａｌ  Ｏｆｆｓｅｔ  Ｌｉｔｈｏｇｒａｐｈｉｃ  Ｔｅｃｈｎｉｑｕｅｓ」に関し、この開示内容は、参照することでその全体が本明細書に組み込まれる。
【背景技術】
【０００２】
本開示は、提案された可変デジタル・オフセット・リソグラフィー画像を作成する構造を使用する潜在的にもっと効率的な様式で、基材の上にもっと高い品質の磁気インク文字認識（ＭＩＣＲ）の文字を製造する能力を与えるシステムおよび方法に関する。
【０００３】
磁気インク文字認識（すなわちＭＩＣＲ）は、小切手およびその他の有価証券の処理および整理を容易にするために主に銀行業によって用いられる文字認識技術である。ＭＩＣＲは、ＭＩＣＲが印刷された書類の高速特定および並べ替えのための仕組みを与える。従来、ＭＩＣＲエンコーディングは、小切手または他の伝票型書類の底部に一連の文字として与えられる。この一連のＭＩＣＲ文字は、典型的には、例えば、書類の種類の指標を含む、書類を特定する情報を含み、書類が小切手である場合、銀行コード、銀行口座番号、小切手番号および額といった情報を含む。一般的に、ある種の管理指標も含まれる。
【０００４】
ＭＩＣＲ文字は、一般的に、多くの標準フォントのいずれかで書類の上に別個に画像化されるか、または印刷される。ＭＩＣＲ文字の印刷に用いられるインクは、その組成物中に着磁性固体要素を含むことに基づいて、磁性インクであると考えられる。例えば、着磁性固体要素として酸化鉄が含まれていてもよい。
【０００５】
ＭＩＣＲが印刷された書類は、ＭＩＣＲリーダによって機械的および電気的に処理され、読み取った情報の個々のデータ要素にしたがって、書類の分類部分としても作用してもよい。ＭＩＣＲリーダは、額、口座番号および他の情報を含む小切手または他の有価証券に関する適切な情報を読み取る。読み取ったら、この情報をＭＩＣＲリーダのソーター部分によって用い、ルーティング目的のために、読み取った書類を電気的に並べ替えることができる。ある種のＭＩＣＲリーダでは、ＭＩＣＲ文字が磁化部分を通り、ＭＩＣＲインクによって画像作成された文字を磁化する。次いで、この文字がＭＩＣＲ読み取りヘッドを通り、ＭＩＣＲ読み取りヘッドは、テープレコーダーの再生ヘッドに似た機器であってもよい。それぞれの文字がＭＩＣＲ読み取りヘッドを通るにつれて、ＭＩＣＲリーダによって簡単に特定することができる固有の波形を生成する。
【０００６】
ＭＩＣＲを使用することによって、例えば、目視確認および／または他の取引処理工程で小切手または他の有価証券に別個に加えられていてもよい他のマークによって重ね刷りされるか、覆い隠された場合であっても、文字を信頼性高く読み取ることができる。これらの処理および並べ替えの仕組みにＭＩＣＲを使用する利点は、典型的な小切手および他の有価証券の磁気スキャニングで経験するエラー率が、光学的な文字認識を使用する技術を含め、自動化された光学的な読み取りおよび並べ替えの技術で経験するエラー率よりかなり小さいことである。
【０００７】
現時点で、ＭＩＣＲ書類は、典型的には、多工程プロセスで製造される。「変化しない」バックグラウンド画像およびフォーマット画像は、典型的には、オフセットリソグラフィープロセスを用いて印刷される。次いで、別個のデジタルプリンタを用い、書類のＭＩＣＲ部分に「変化する」デジタル情報を印刷する。別個の機器を用いることが多い別個の印刷工程を用いるこの製造の仕組みは、従来はＭＩＣＲ書類に別個の画像を製造するのに不適合であった別個の処理技術での欠点を補うことが求められる。
【０００８】
従来のリソグラフィー印刷技術およびオフセットリソグラフィー印刷技術は、永久的にパターン形成されたプレートを使用するため、一般的に、例えば、基材ごとに変化するＭＩＣＲデータで重ね刷りされるべきである有価証券のバックグラウンド画像について、長期間にわたる印刷時間で同じ画像を印刷する場合にのみ最も有用であると考えられる。これらの従来のプロセスは、既知の方法によれば、画像を変えるには、プレート（印刷シリンダを含む）の除去および交換が必要であるため、一般的に、１ページごとに新しいパターンを作成し、印刷するように修正することができるとは考えられない。
【０００９】
上述のことに基づき、従来のリソグラフィー技術は、例えば、デジタル印刷システムの場合のように、印刷されるべき画像が一刷りごとに変わる真の高速可変データ印刷プロセスに適応させることができない。これが、書類のＭＩＣＲ部分が別個にデジタル印刷される理由である。
【００１０】
使用するインクの品質および色域に少なくとも部分的に起因して、リソグラフィープロセスは非常に高品質の印刷物を与えるため、リソグラフィープロセスに頼ることが多い。プレート上の残留インクがそれほど気にならないプロセスでの一貫性のある再利用に基づき、リソグラフィーインクは、固体成分の量が多い状態で保持されるとき、粘度がかなり高くなる傾向がある。このインクは、典型的には色顔料の含有量が非常に多く、多くは２０〜７０重量％の範囲であり、他のインク、トナーおよび多くの他の種類の印刷材料またはマーキング材料と比較して、比較して非常に低コストである傾向がある。この比較して低コストなことにより、磁着可能な様式で、高品質および低コストという利点を得るために、印刷またはマーキングのためのリソグラフィーインクおよびオフセットインクを使用する要求が生じる。これらのインクが粘性であるという性質は、リソグラフィーインクの運搬および画像を作成する技術に基づいて、欠点であるとは考えられない。しかし、上に示したように、リソグラフィー印刷技術は、従来は、この用語が、画像作成プロセスで連続する基材の上の画像をそれぞれ下塗りしつつ、変更可能な基材の上での画像の製造を指すことが意図されているため、デジタル印刷に合うように修正可能であるとは考えられていなかった。
【００１１】
インクジェット印刷を、高速可変デジタルデータ画像作成に合うように修正可能であるが、吐出されたインクの物理的な組成が、かなり厳格なパラメータの範囲内になるように注意深く制御しなければならない。一般的に、吐出されたインクは、特に粘性であってはならず、および／または特定の粒径を超える粒子を含んではいけない。過度に粘性が高いインク組成物、またはもっと大きな粒径の固体粒子を含むインク組成物は、吐出部を簡単に詰まらせ、デジタル印刷を支えるインク吐出プロセスによる画像作成操作に悪影響を与える他の課題が生じる傾向がある。
【００１２】
吐出可能なインクの調製は、固体要素を液体にもっと容易に懸濁させ、インク吐出プロセスで簡単に通過させるために、例えば、鋼鉄ショットまたはグラインダ（高速メディアミル）中、固体要素、例えば、顔料またはインク組成物に含まれる他の固体の広範囲にわたる粒状化を含むことが多い。
【００１３】
固体要素を粒状化することによって調製したインクをＭＩＣＲの仕組みに適合させるとき、困難が生じる。このことは、ＭＩＣＲインクが吐出可能であるという要求事項に対応させるために行われるが、インクを吐出するデジタル画像作成プロセスによって生じる制限と、ＭＩＣＲ画像を作成する仕組みを効果的に実行するためのＭＩＣＲ成分の組成の選択とのバランスをとるときに、特定のトレードオフ関係が作られる。ＭＩＣＲでは、適切な磁気画像リーダを用いてＭＩＣＲ文字を区別するか、または読み取るために、もっと大きな粒子の酸化鉄または他の着磁性要素を含むことがもっと好ましい。ＭＩＣＲを反射式プロセスであると考えることができる程度まで、ＭＩＣＲリーダの着磁部分に、次いでリーダ部分にもっと多くの着磁性表面が存在するとき、製造され、読み取られる磁場は、書類のＭＩＣＲ画像または印刷部分を区別する様式で比較的読み取りが簡単であることが簡単に理解される。
【００１４】
しかし、もっと大きな粒子の着磁性材料を用いてＭＩＣＲ文字を作成するという望みは、吐出可能なインクの構成要素について可能な限り小さな粒径になるまで固体を粉砕するための吐出可能なインクを調製するという現実的な必要性と矛盾する。この問題を、吐出可能なインクの粘度に悪影響を与えることなく、吐出可能なインク溶液に加えることができる着磁性固体の量がわずかな量に制限されるという問題と組み合わせると、基材の上でＭＩＣＲ文字をデジタルインクジェットによって画像作成するためにＭＩＣＲインクを製造するには、ＭＩＣＲを完全に実現し、開発するという利点を維持し得る競合する制限事項のバランスを取ることが必要であることが明らかになる。
【発明の概要】
【発明が解決しようとする課題】
【００１５】
本出願は、可変デジタル・データ・リソグラフィー印刷およびオフセットリソグラフィー印刷または画像受け入れ媒体のマーキングのためのシステムおよび方法を提案する。このシステムおよび方法は、有効な真の可変デジタル・データ・リソグラフィー印刷を達成するための湿し水溶液の可変パターン形成に基づき、すでに企てられた可変デジタルデータ画像作成リソグラフィーマーキングの概念の種々の態様の改良に関する。
【課題を解決するための手段】
【００１６】
ドラム、プレート、ベルトなどであってもよい画像化部材の上に、再画像作成可能な表面が提供される。再画像作成可能な表面は、例えば、シリコーンと一般的に呼ばれる種類の材料（特に、ポリジメチルシロキサン（ＰＤＭＳ）を含む）材料から作られてもよい。再画像作成可能な表面は、土台層の上にある比較的薄い層から作られてもよく、印刷性能またはマーキング性能、耐久性および製造可能性のバランスをとるために、厚みが比較的薄い層が選択される。
【００１７】
本出願は、必要な詳細において、例えば、図１に示されるような例示的な可変デジタルデータリソグラフィーシステム１００を記載する。図１に示される例示的なシステム１００の一般的な記載をここに提示する。図１に示すように、例示的なシステム１００は、画像化部材１１０を備えていてもよい。図１に示す実施形態の画像化部材１１０はドラムであるが、この例示的な記載は、画像化部材１１０がプレートまたはベルト、または他の既知の構造であることを除外するという様式で読み取るべきではない。画像化部材１１０を用い、転写ニップ１１２で、画像受け入れ媒体基材１１４にインク画像を塗布する。転写ニップ１１２は、画像転写機構１６０の一部としての印刷ローラ１１８によって作られ、画像化部材１１０の方向に圧力を加える。画像受け入れ媒体基材１１４は、例えば、紙、プラスチック、またはコンポジットシート膜のような任意の特定の組成物に限定されると考えるべきではない。多種多様な画像受け入れ媒体基材の上に画像を製造するための例示的なシステム１００を使用してもよい。本出願は、顔料密度が１０重量％より大きなマーキング材料を含め、使用可能なマーキング（印刷）材料の広い自由度も説明する。本開示は、インク、顔料、および画像受け入れ媒体基材１１４の上で出力画像を製造するために例示的なシステム１００によって適用可能な他の材料であると一般的に理解されるものを含むように、広い範囲の印刷材料またはマーキング材料を指すためにインクという用語を使用する。
【００１８】
本出願は、例えば、円柱形のコアであってもよい構造的な土台層の上に作られた再画像作成可能な表面層、または円柱形コアの上にある１つ以上の構造的な層で構成される画像化部材１１０を含め、画像化部材１１０の詳細を図示し、記載する。
【００１９】
例示的なシステム１００は、一般的に一連のローラを備え、画像化部材１１０の再画像作成可能な表面を湿し用流体で均一に濡らすための湿し用ローラまたは湿し用ユニットとして考えてもよい湿し用流体システム１２０を備える。湿し用流体システム１２０の目的は、一般的に均一で制御された厚みを有する湿し用流体の層を、画像化部材１１０の再画像作成可能な表面に運ぶことである。湿し用流体は、主に水を含んでいてもよく、場合により、以下にさらに詳細に記載するように、表面張力を下げ、その後のレーザーパターン形成を後押しするのに必要な蒸発エネルギーを低くするために加えられる少量のイソプロピルアルコールまたはエタノールを含んでいてもよい。同様に、少量の特定の界面活性剤を湿し溶液に加え、画像化部材１１０の再画像作成可能な表面のインク特性および転写特性を調整してもよい。
【００２０】
画像化部材１１０の再画像作成可能な表面に湿し用流体を秤量して加えると、湿し用流体の厚みを、湿し用流体システム１２０によって、画像化部材１１０の再画像作成可能な表面に対して湿し用流体の秤量を制御するためのフィードバックを与え得るセンサ１２５を用いて測定してもよい。
【００２１】
正確で均一な量の湿し用流体が、湿し用流体システム１２０によって画像化部材１１０の再画像作成可能な表面に与えられた後、光学パターン形成サブシステム１３０を使用し、例えば、レーザーエネルギーを用い、湿し用流体層を画像の様式になるようにパターン形成することによって、均一な湿し用流体層の中に潜像を選択的に作成してもよい。画像化部材１１０の再画像作成可能な表面は、高い空間改造能を維持するために、この表面に近い光学パターン形成サブシステム１３０から放出されるレーザーエネルギーのほとんどを理想的に吸収し、湿し用流体を加熱するときに無駄なエネルギーが最小限になり、熱の横方向への広がりを最低限にすべきである。または、適切な放射線感受性成分を湿し用流体に加え、入射放射レーザーエネルギーの吸収を助けてもよい。光学パターン形成サブシステム１３０は、レーザーエミッタとして上に記載されるが、湿し用流体をパターン形成するための光エネルギーを運ぶために、種々の異なるシステムを使用してもよいことを理解されたい。
【００２２】
例示的なシステム１００の光学パターン形成サブシステム１３０によって行われるパターン形成プロセス中の作業時の機構を、本明細書で詳細に記載する。簡単に言うと、光学パターン形成サブシステム１３０からの光によるパターン形成エネルギーの適用によって、湿し用流体の層の一部を選択的に蒸発させる。
【００２３】
光学パターン形成サブシステム１３０によって湿し用流体層をパターン形成した後、画像化部材１１０の再画像作成可能な表面の上にパターン形成された層が、インクローラサブシステム１４０に渡される。インクローラサブシステム１４０を使用し、画像化部材１１０の湿し用流体の層と再画像作成可能な表面層の上にインクの均一な層を塗布する。インクローラサブシステム１４０は、画像化部材１１０の再画像作成可能な表面層に接触する１つ以上のインク形成ローラの上でオフセットリソグラフィー用インクを秤量するために、アニロックスローラを使用してもよい。別個に、インクローラサブシステム１４０は、再画像作成可能な表面に対し、インクの正確な供給速度を与えるために、従来の他の要素（例えば、一連の秤量ローラ）を備えていてもよい。インクローラサブシステム１４０は、再画像作成可能な表面の画像部分をあらわすポケットにインクを堆積させてもよく、一方、湿し用流体の復元された部分に堆積したインクは、これらの部分の疎水性および／または疎油性に基づいて接着しないだろう。
【００２４】
画像化部材１１０の再画像作成可能な層の中に存在するインクの凝集性および粘度を、多くの機構によって改変してもよい。このような機構の１つは、レオロジー（複素粘弾性係数）制御サブシステム１５０の使用を含んでいてもよい。レオロジー制御システム１５０は、再画像作成可能な表面に部分的に架橋したインクのコアを生成し、例えば、再画像作成可能な表面層に対するインクの結合強さを高めてもよい。硬化機構は、光学的硬化または光硬化、熱硬化、乾燥、または種々の形態の化学硬化を含んでいてもよい。同様に、複数の物理的な冷却機構によって、また、化学的な冷却によって冷却を使用し、レオロジーを変えてもよい。
【００２５】
次いで、インクを、転写サブシステム１６０を用い、画像化部材１１０の再画像作成可能な表面から、画像受け入れ媒体１１４の基材へと転写する。画像化部材１１０の再画像作成可能な表面の空隙内にあるインクが基材１１４と物理的に接触するように、基材１１４が、画像化部材１１０と印刷ローラ１１８との間にある転写ニップ１１２を介して通過するにつれて、転写が起こる。レオロジー制御システム１５０によって変えられたインクが接着すると、インクの接着が変わり、インクが基材１１４に接着し、画像化部材１１０の再画像作成可能な表面から分離する。転写ニップ１１２での温度および圧力の条件を注意深く制御すると、画像化部材１１０の再画像作成可能な表面から基材１１４へのインクの転写効率を９５％より高くすることができるだろう。湿し用流体の一部が基材１１４を濡らし得ることも可能であるが、このような湿し用流体の体積は最低限であり、迅速に蒸発するか、または基材１１４によって吸収されるだろう。
【００２６】
特定のオフセットリソグラフィーシステムでは、オフセットローラ（図１には図示せず）が、まず、インク画像パターンを受け入れ、次いで、インク画像パターンが、オフセットローラまたは中間転写体のような他の機器を用いる既知の間接的な転写方法によって基材に転写されることを理解すべきである。
【図面の簡単な説明】
【００２７】
【図１】図１は、提案される可変デジタル・データ・リソグラフィー印刷システムの模式図である。
【図２】図２は、本開示に記載されるように実験し、次いで、Ｅｒｗｅｋａ（登録商標）Ｍｏｄｅｌ  ＡＲ４００  ３ロールミルで、５２００ｒｐｍでのＤｉｓｐｅｒｍａｔ  Ｈｉｇｈ  Ｓｈｅａｒ混合した、例示的なＭＩＣＲ組成物の例示的な処理フロー図である。
【図３】図３は、本開示のＭＩＣＲ文字画像の作成を含む１回通過による画像作成を実行するために使用可能な画像作成機器の例示的な実施形態の模式図である。
【図４】図４は、本開示のＭＩＣＲ文字画像作成を実行する画像作成システムの例示的な実施形態のブロック図である。
【図５】図５は、本開示の提案される可変データリソグラフィー印刷システムにおける、ＭＩＣＲ文字のための可変データリソグラフィー印刷を実行するための例示的な方法のフローチャートである。
【発明を実施するための形態】
【００２８】
実証するために、以下のインク成分を選択した。ＭＩＣＲ顔料、ＭＴＩ  Ｃｏｒｐｏｒａｔｉｏｎ（登録商標）から入手可能なＣｏＦｅ２Ｏ４、Ｓａｒｔｏｍｅｒｓ（登録商標）から入手可能な硬化性機能性アクリレートモノマー（ＣＮ２９３、ＣＮ２９４Ｅ、ＣＮ２５９、ＣＮ４５４）、Ｌｕｂｒｉｚｏｌ（登録商標）から入手可能なＳｏｌｓｐｅｒｓｅ（登録商標）３９，０００分散剤、熱安定化剤、ＢＡＳＦ（登録商標）から入手可能なＩｒｇａｓｔａｂ（登録商標）ＵＶ１０、場合により、Ｄｅｇｕｓｓａ  Ｃａｎａｄａ  Ｌｔｄ（登録商標）から入手可能なａｅｒｏｓｏｌ  ２００  ｖｓ、およびＩｒｇａｃｕｒｅ（登録商標）８１９、ビス（２，４，６−トリメチルベンゾイル）−フェニルホスフィン酸化物）およびＩｒｇａｃｕｒｅ（登録商標）１８４、１−ヒドロキシ−シクロヘキシル−フェニル−ケトンで構成される光開始剤システム。光開始剤システムは、場合により、それぞれＢＡＳＦ（登録商標）、ＢＡＳＦ（登録商標）およびＬａｍｂｅｒｔｉ（登録商標）から入手可能な、Ｉｒｇａｃｕｒｅ（登録商標）３７９、２−ジメチルアミノ−２−（４−メチル−ベンジル）−１−（４−モルホリン−４−イル−フェニル）−ブタン−１−オンおよびＥｓａｃｕｒｅ  Ｋｉｐ（登録商標）１５０、オリゴ［２−ヒドロキシ−２−メチル−１−［４−（１−メチルビニル）フェニル］プロパノン］を含んでいてもよい。他の任意要素の成分または添加剤としては、（１）Ｓａｒｔｏｍｅｒ（登録商標）（ＣＮ２２５５）、ガラス転移点Ｔが−１３℃である高粘度ポリエステルアクリレートオリゴマーおよび６０℃での粘度が１１，０００ｃｐであり、ガラス転移点Ｔが−２２℃であるポリエステルアクリレートオリゴマーＣＮ２２５５から選択されるポリエステルオリゴマー、（２）ヒンダードアミン光安定化剤、例えば、ＴＩＮＵＶＩＮ（登録商標）２９２、（３）レベリング剤、例えば、Ｂｙｋ  ３５００、ポリエーテルで改質されたアクリル官能性ポリジメチルシロキサン、および（４）消泡剤、例えば、Ｃｙｔｅｋ（登録商標）から入手可能なＡｄｄｉｔｏｌ  ＶＸＬ  ４９５１を挙げることができる。本明細書に記載のこれらおよび他の実験組成物および組成物の成分を参照すれば、当業者は、適切なインク組成物の開示されている概念から逸脱することなく、構成要素の多くの他の組み合わせを置き換えてもよいことを理解するだろう。
【００２９】
実験では、インクの処理を４段階で行った。モノマーおよび分散剤を、アンカーインペラの付いたステンレスビーカー内で、８０℃で６０分かけてブレンドした。顔料を加え、次いで、アンカーインペラの付いたステンレスビーカー内で、８０℃で３０分かけてウェッティングを行い、次いで、高剪断インペラを用い、５２００ｒｐｍで均質化した。Ｅｒｗｅｋａ（登録商標）Ｍｏｄｅｌ  ＡＲ４００  ３ロールミルを用い、８０℃（１回目の通過）および３０℃（２〜４回目の通過）で粉砕を行った。インクを製造するための通過数は、目標とするレオロジーおよび望ましい粒径によって変わり得ることが理解される。次いで、製品インクを褐色ガラスビンから取り出した。
【００３０】
図２は、上に記載する実施例３の実験について、以下の表１に示すような例示的な処理フロー図２００を示す。
【表１】
2014234515.tif 000002
【００３１】
すべてのインク配合物について、迅速な加熱／冷却のためのＰｅｌｔｉｅｒ温度制御システムを備え、形状が２５ｍｍの平行プレートであるＡＲＥＳ（登録商標）Ｇ２によって制御される歪みレオメーターを用い、レオロジーデータ（上の表１に含まれるような）を得た。
【００３２】
試験用ＤＡＬＩフルオロ−シリコーンプレートを画像作成プレートとして使用し、上の表１に示す実施例３の配合物を使用する手動試験によって、印刷デモンストレーションを行った。実施例３のインクをハンドローラによってフルオロ−シリコーン−シリコーン試験ＤＡＬＩプレートに塗布し、プレートの濡れ方を観察した。正確にいうと、プレートに湿し水溶液を塗布し、その後、ゴムローラを用いてプレートの上を回転させてインクを付け、次いで、プレートから紙への転写を行った。このデモンストレーションによって、良好なバックグラウンド性能が得られ、実施例３のインクは、バックグラウンド領域には存在しなかった。薄い湿し水溶液の領域で、一部のバックグラウンドは明らかであったが、配合および物理特性の最適化によって改良された。重要なことに、実施例３のインクは、３回の通過によって完全に転写され、ＤＡＬＩプロセスについての許容される転写性能であると評価された。
【００３３】
まず、実施例３のインクを用いたＫ−プルーフ（均一なインク層）の調製によって、実施例３のインクの磁気シグナルの試験を行った。ＥＡＳＹ  ＣＨＥＣＫ（登録商標）ＭＩＣＲ  ＴＥＳＴＥＲを用いて得られた試験書類の磁気シグナルの読み（１３７％）は、従来の製造されたＭＩＣＲ小切手について得られた読み（記録された値は１３７％〜１２０％）と一致するか、または超えていた。これらの結果は、調製したＭＩＣＲインクが、デジタルインクジェットプロセスで銀行の小切手の従来の印刷に使用される商業的なインクとして磁性であることを確認するものと考えられた。
【００３４】
複雑な多色画像を基材の上で作成するときに必要であると思われるように、１つ以上の標準フォント、単一色のＭＩＣＲ文字の印刷が、特に高い解像度を必要とするわけではないため、ＭＩＣＲインクは、もっと大きなインク粒子を効果的に含むことができることを注記すべきである。表１の実施例３のインクに存在するＭＩＣＲ顔料粒子の粒径は、１〜１０ミクロンの範囲であった。
【００３５】
ＤＡＬＩデジタルオフセット印刷システムと適合することが示された多くの反応性モノマーまたはオリゴマーを主要な硬化性成分として用い、ＤＡＬＩ構造およびサブシステムに適したＭＩＣＲデジタルオフセットインクを製造した。これらのインクは、多くの利点を有する。ＤＡＬＩ印刷プロセスおよびシステムに適していること、ＤＡＬＩ印刷プロセスおよびシステムで使用する湿し水溶液およびプレート材料と適合すること、例えば、ミクロンより大きな粒径のＭＩＣＲインクのデジタル印刷を可能にしつつ、ＭＩＣＲ顔料の保持量が比較的多く、粒径が比較的大きいことに基づく、改良された磁気特徴。
【００３６】
図３は、本開示のＭＩＣＲ文字画像作成を実行するための画像作成機器３００の例示的な実施形態の模式図である。図３に示されるように、個々の画像受け入れ媒体基材は、画像受け入れ媒体基材供給源３１０で提供されてもよい。個々の画像受け入れ媒体基材は、Ａの方向に画像受け入れ媒体輸送経路３１５に沿って連続的に通過してもよい。
【００３７】
個々の画像受け入れ媒体基材の上に複数の色のインクを堆積させるために、個々の画像受け入れ媒体基材を、インクによる画像作成ローラ３２０、３３０、３４０、３５０と、対向するローラ３２２、３３２、３４２、３５２との間に作成された複数の転写ニップから通過させてもよい。インクによる画像作成ローラ３２０、３３０、３４０、３５０は、従来のリソグラフィー画像転写ローラであってもよく、例えば図１に示すような可変デジタルデータオフセットリソグラフィーシステムの一部であるその他の画像転写ローラであってもよい。基材が、画像受け入れ媒体輸送経路３１５に沿って進むように、それぞれの着色したインクを、個々の画像受け入れ媒体基材の上に堆積させてもよく、それぞれの堆積した着色インクを、中間の部分的な硬化機器３２５、３３５、３４５、３５５によって部分的に硬化させてもよい。
【００３８】
バックグラウンド画像を堆積させ、個々の画像受け入れ媒体基材の上で潜在的に部分的に硬化させると、複数の色の画像およびＭＩＣＲ画像が付いた画像受け入れ媒体基材が出力トレー（図示せず）を通過する前に、５番目のインクによる画像作成ローラ３６０とその対向するローラ３６２との間に形成されたＭＩＣＲ画像作成ニップで、ＭＩＣＲインクの画像を、画像受け入れ媒体基材に転写するために、個々の画像受け入れ媒体基材が、画像受け入れ媒体輸送経路３１５から５番目のインクによる画像作成ローラ３６０に沿って続いてもよい。この開示の実施形態では、画像受け入れ媒体基材にＭＩＣＲインク画像を転写するための５番目のインクによる画像作成ローラ３６０は、好ましくは、可変デジタルデータオフセットリソグラフィーシステムまたは機器に連結するインクによる画像作成ローラであってもよい。
【００３９】
図４は、本開示のＭＩＣＲ文字画像作成を実行するための画像作成システム４００の例示的な実施形態のブロック図を示す。
【００４０】
例示的な画像作成システム４００は、例示的な制御システム４１０を備えていてもよい。例示的な制御システム４１０の要素のすべてまたは一部が、例示的な画像作成システム４００の一体化要素として含まれていてもよい。別の場合には、例示的な画像作成システム４００の処理機能および制御機能を行うための例示的な制御システム４１０の特定の要素が、例えば、別個の計算機器に収納されていてもよく、この別個の計算機器が、例示的な画像作成システム４００と連結し、例えば、通信リンク４７０を介して例示的な画像作成システム４００に接続していてもよく、例示的な制御システム４１０と、例示的な画像作成システム４００の他の要素との間の有線または無線のデータ接続から構成されていてもよい。
【００４１】
一般的に、画像作成システム４００において、個々の画像受け入れ媒体基材（シート）が画像受け入れ媒体源４４０から与えられてもよく、例えば、入力画像媒体源のトレーを備えていてもよい。画像受け入れ媒体基材を、画像を作成し、硬化させる機器４５０に運んでもよく、この機器は、デジタルオフセット画像作成機器から構築されてもよく、画像受け入れ媒体基材の上に画像をマーキングする材料を堆積させることによって画像が作られる。画像を作成し、融合させ、固定させる画像受け入れ媒体基材（作成し、融合させ、固定させる開示されている概念のＭＩＣＲ画像を含む）、画像受け入れ媒体基材を、画像受け入れ媒体を出力収集するユニット４６０に移し、堆積させてもよい。
【００４２】
例示的な制御システム４１０は、操作インターフェース４１５を備えていてもよく、これによって、ユーザは、画像作成システム４００の画像受け入れ媒体基材の上で画像作成操作を直接行うための例示的な制御システム４１０と連通していてもよい。操作インターフェース４１５は、画像作成システム４００と連結する局所的にアクセス可能なユーザインターフェースであってもよい。操作インターフェース４１５は、制御機器および／または計算機器に共通する１つ以上の従来の機構として構成されてもよく、ユーザは、例示的な制御システム４１０に情報を入力してもよい。操作インターフェース４１５としては、例えば、従来のキーボード、「ソフト」ボタンを備えるか、または互換性のあるスタイラスを用いて使用するための種々の要素を備えるタッチスクリーン、ユーザが例示的な制御システム４１０に対して口で命令し、これを声認識プログラムによって「翻訳」してもよいマイクロフォン、またはユーザが、例示的な制御システム４１０に対して具体的な操作指示を命令してもよい他の機器を挙げることができる。操作インターフェース４１５は、連結する例示的な制御システム４１０を備える画像作成システム４００に設置されているか、一体化されているか、または連結しているグラフィカルユーザインターフェース（ＧＵＩ）の機能の一部であってもよい。
【００４３】
例示的な制御システム４１０は、例示的な制御システム４１０を個々に操作し、画像作成システム４００の操作機能を実施するために１つ以上のローカルプロセッサ４２０を備えていてもよい。プロセッサ４２０は、例示的な制御システム４１０および画像作成システム４００の具体的な機能を命令するための指示を解釈し、実行するために少なくとも１つの従来のプロセッサまたはマイクロプロセッサを備えていてもよい。
【００４４】
例示的な制御システム４１０は、１つ以上のデータ記憶機器４２５を備えていてもよい。このようなデータ記憶機器４２５を使用し、例示的な制御システム４１０（具体的には、プロセッサ４２０）によって使用されるデータまたは操作プログラムを記憶してもよい。データ記憶機器４２５を使用し、画像を作成し、硬化させる機器４５０の個々の操作特徴に関する情報（例えば、画像を作成し、硬化させる機器４５０で画像を作成し、ＭＩＣＲ文字を製造するための情報）を記憶してもよい。これらの記憶したスキームは、画像作成システム４００のすべての操作を制御してもよい。データ記憶機器４２５は、ランダムアクセスメモリ（ＲＡＭ）、または、例えば、プロセッサ４２０によってシステムの操作を実行するための指示を別個に記憶するためのアップデート可能なデータベース情報を記憶することができる別の種類のダイナミック記憶機器を備えていてもよい。データ記憶機器４２５は、さらに、リードオンリーメモリ（ＲＯＭ）を備えていてもよく、従来のＲＯＭ機器、またはプロセッサ４２０のための静的な情報および指示を記憶する別の種類の静的記憶機器を含んでいてもよい。さらに、データ記憶機器４２５は、例示的な制御システム４１０と一体化していてもよく、または例示的な制御システム４１０との有線または無線の通信に対して外側に、また、内部に提供されてもよい。
【００４５】
例示的な制御システム４１０は、少なくとも１つのデータディスプレイ機器４３０を備えていてもよく、ユーザに情報を出力する１つ以上の従来の機構として構成されていてもよく、限定されないが、例示的な制御システム４１０が連結していてもよい画像作成システム４００のＧＵＩのディスプレイスクリーンが挙げられる。データディスプレイ機器４３０を使用し、画像作成システム４００の画像作成操作、または、画像作成およびＭＩＣＲ文字作成操作を実行するための画像を作成し、硬化させる機器４５０の具体的な操作の状態をユーザに示してもよい。
【００４６】
図４に示されるように、例示的な制御システム４１０の種々の要素はすべて、１つ以上のデータ／制御バスによって、画像を作成し、硬化させる機器４５０に内部で接続していてもよい。これらのデータ／制御バスは、これらの要素すべてが一体的に収納されているか、または例示的な制御システム４１０と連結していてもよい画像作成システム４００の他の要素の外部にあるか、またはこれらと接続しているかに関わらず、例示的な制御システム４１０の種々の要素の間の有線または無線の通信を与えてもよい。
【００４７】
図４に本質的に一体化したユニットとして示されるが、例示的な制御システム４１０の種々の開示されている要素が、個々の要素または要素の組み合わせとしてサブシステムの任意の組み合わせとして配置されていてもよく、１個のユニットに一体化されていてもよく、または、例示的な制御システム４１０の１つのユニットの外側にあって、有線または無線の通信によって接続していてもよいことを理解されたい。言い換えると、一体化ユニットまたはサポートユニットとして、図４の記載によって、なんら具体的な構造は暗示するものではない。さらに、例示的な制御システム４１０に関して本開示に与えられる詳細を簡単に理解するために、個々のユニットとして示されているが、個々に示された任意の要素について記載されている機能が、例えば、１つ以上のデータ記憶機器４３０に接続し、連通する１つ以上のプロセッサ４２０によって行われてもよく、これらがすべて、画像作成システム４００の操作を補助することを理解されたい。
【００４８】
開示されている実施形態は、提案されている可変データリソグラフィー印刷システムでＭＩＣＲ文字のための可変データリソグラフィー印刷を実行するための例示的な方法を含んでいてもよい。図５は、このような例示的な方法のフローチャートを示す。図５に示されるように、この方法の操作は、工程Ｓ５０００で始まり、工程Ｓ５１００に進む。
【００４９】
工程Ｓ５１００で、ＭＩＣＲインクが、少なくとも１つの画像を作成するモジュールレベル可変デジタル・データ・リソグラフィー画像作成システムに与えられてもよい。ＭＩＣＲ文字が基材ごとに変わりそうだという事実に基づき、ＭＩＣＲインクが与えられる可変デジタル・データ・リソグラフィー画像作成システムの少なくとも１つの画像を作成するモジュールは、例えば、図１に示すような可変データ・リソグラフィー・システムを備えているだろう。この方法の操作は、工程Ｓ５２００に進む。
【００５０】
工程Ｓ５２００で、可変デジタル・データ・リソグラフィー画像作成システムによって基材の上に作成されるべき画像を記述するデジタルデータを得てもよい。例えば、ある形態の操作インターフェースを介してユーザが情報を入力することによってデジタルデータを得てもよく、または、ある種のユーザの入力に基づいて、記憶機器から回復させてもよい。言い換えると、基材の上に作成されるべき画像を記述するデジタルデータの供給源を、既知の方法によって得てもよく、有線通信または無線通信を介して可変デジタル・データ・リソグラフィー画像作成システムに与えられてもよい。基材の上に作成されるべき画像を記述するデジタルデータは、基材の上の画像の一部として製造され、他の画像要素と重なるか、または他の画像要素から基材の別個の部分に製造されるＭＩＣＲ文字に関する情報を含んでいてもよい。この方法の操作は、工程Ｓ５３００に進む。
【００５１】
工程Ｓ５３００で、バックグラウンド部分または画像の他のＭＩＣＲ以外の部分が、基材の上に作成されるべき画像を記述するデジタルデータにしたがって、基材の上に作成されてもよい。これらの画像データ部分は、ＭＩＣＲインクが与えられる画像作成モジュールではない画像作成モジュールによって作られてもよい。これらの「他の」画像作成モジュールは、可変デジタル・データ・リソグラフィー画像作成モジュールであってもよく、従来のリソグラフィー画像作成モジュール（例えば、画像作成ドラム上に固定されたプレートを含む）であってもよい。図１に例示的な様式で示される可変デジタル・データ・リソグラフィー・システムは、一般的に、単色画像作成モジュールとして図示され、記載されているが、示されているような単一の画像化部材の上で単一の再画像作成可能な表面を用いて多色画像を製造するために、可変データ・リソグラフィー・システムを進歩させてもよいことが想定される。このような場合には、別個のサイクルの画像化部材に、異なる色のマーキング材料を入れてもよい。このような場合には、例えば、多色画像化部材の最後のサイクルが、以下に記載する様式でＭＩＣＲ文字要素を塗布してもよい。この方法の操作は、工程Ｓ５４００に進む。
【００５２】
工程Ｓ５４００で、単色または多色として基材に塗布された画像のＭＩＣＲ以外の部分の一部またはすべてを、ＭＩＣＲ画像以外の部分を基材に固定する様式で部分的に硬化させてもよい。この部分的な硬化は、基材に複数の画像作成ニップで複数の画像を転写する可変デジタル・データ・リソグラフィー画像作成システムに対し、特に利点を与えると思われる。前の画像作成ニップで基材に転写された画像の部分的な硬化によって、その後の画像作成ニップですでに堆積した画像要素の逆転写の可能性が下がるか、または実質的になくなるだろう。この方法の操作は、工程Ｓ５５００に進む。
【００５３】
工程Ｓ５５００で、ＭＩＣＲインクが与えられた少なくとも１つの画像作成モジュールを用い、画像のＭＩＣＲ部分が基材の上に作られてもよい。上に示したように、基材の上に画像のＭＩＣＲ文字部分を作成するために用いられる少なくとも１つの画像作成モジュールは、図１に例示的な様式で示されるような可変デジタル・データ・リソグラフィー・システムを備えているだろう。この方法の操作は、工程Ｓ５６００に進む。
【００５４】
工程Ｓ５６００で、可変デジタル・データ・リソグラフィー画像作成システムの少なくとも１つの画像作成モジュールの下流にある少なくとも１つの最終的な硬化機器を用い、画像全体（ＭＩＣＲ文字部分を含む）を、基材の上で最終的に硬化させるか、および／または融合させ、基材の上に画像のＭＩＣＲ文字部分を作成してもよい。この方法の操作は、工程Ｓ５７００に進む。
【００５５】
工程Ｓ５７００で、最終的な硬化画像（ＭＩＣＲ文字部分を含む）が生成した基材を、可変デジタル・データ・リソグラフィー画像作成システムから出力してもよい。この方法の操作は、工程Ｓ５８００に進み、この方法の操作が終了する。
【図１】
2014234515.tif 000003
【図２】
2014234515.tif 000004
【図３】
2014234515.tif 000005
【図４】
2014234515.tif 000006
【図５】
2014234515.tif 000007